(57)【要約】【課題】  ばね蝶番と同様の閉止固定の効果が得られ、輸送時に蓋部材が容易に開閉することのない包装用箱を提供する。【解決手段】  本体に対して開閉自在に連結部を介して蓋部材が取付けられ、かつ、前記本体と蓋部材との開口面を突き合わせることで前記本体の開口部が覆われるようにした包装用箱において、前記連結部と相対向する位置の前記本体にマグネットを取付け、また、該マグネットと対向する位置の前記蓋部材に異極となるマグネットを取付け、前記２つのマグネットによる求磁力によって本体と蓋部材とを閉止固定する。【選択図】図１
0003104294.tif 000002
【実用新案登録請求の範囲】
【請求項１】
本体に対して開閉自在に連結部を介して蓋部材が取付けられ、かつ、前記本体と蓋部材との開口面を突き合わせることで前記本体の開口部が覆われるようにした包装用箱において、前記連結部と相対向する位置の前記本体に扁平マグネットを取付け、また、該マグネットと対向する位置の前記蓋部材に異極となる扁平マグネットを取付け、前記２つのマグネットによる求磁力によって本体と蓋部材とを閉止固定することを特徴とする包装用箱。
【請求項２】
前記本体側のマグネットと蓋部材側のマグネットは共に方形マグネットであり、両マグネットは端面同士が対向して配置されていることを特徴とする請求項１記載の包装用箱。
【請求項３】
前記本体側と前記蓋部材側には、前記マグネットを取付けるための凹部が対向して形成されており、該凹部に前記マグネットを収容固定することで、マグネットの端面同士が対向配置されることを特徴とする請求項１記載の包装用箱。
【請求項４】
前記凹部に収容固定されるマグネットは、前記本体および蓋部材に接着固定される補強片に接着固定されていることを特徴とする請求項３記載の包装用箱。
【考案の詳細な説明】
【技術分野】
【０００１】
本考案は、任意の物品を収納する包装用箱に関し、詳しくは、本体と蓋部材とからなり、マグネットによる求磁力によって本体と蓋部材とを閉止固定する包装用箱の改良に関するものである。
【背景技術】
【０００２】
従来から用いられている包装用箱には、内部に眼鏡や装身具等を収納する本体と、この本体にバネ蝶番を介して連結される蓋部材とからなるものがある。
この包装用箱は、本体と蓋部材との開口面を突き合わせることで本体の開口部を覆うことができると共に、本体と蓋部材とをバネ蝶番の弾性力により十分な閉止力で固定することができるようになっている。
【０００３】
しかしながら、バネ蝶番の弾性力を用いて本体と蓋部材とを閉止固定する場合、包装用箱の使用頻度によりバネ蝶番の弾性力が弱まり、本体と蓋部材とを閉止固定できなくなるという問題があった。
また、連結部材としてバネ蝶番が必要であることから、製造コストの上昇を招くという問題もあった。
【０００４】
このため、近年においては、本体と蓋部材とを連結するバネ蝶番を廃止し、バネ蝶番が有していた本体と蓋部材とを閉止固定する役割を、本体に設けた磁石とこの磁石に吸着する蓋部材に設けた磁性金属とで担うものが提案されている。
【特許文献１】実用新案登録第２５１８２７４号公報
【考案の開示】
【考案が解決しようとする課題】
【０００５】
しかしながら、磁石と磁性金属との吸着のみでは、単なる閉止固定の効果が得られず、輸送時等において容易に蓋部材が開放してしまうという問題があると共に、バネ蝶番を用いた包装箱の閉じる際に生じる「パチン」という快いクリック音が小さいという欠点があった。
【０００６】
そこで、本考案は、ばね蝶番と同様に十分な閉止力によって固定することができ、包装箱の閉じる際に「パチン」という大きな快いクリック音が
生じ、輸送時に容易に蓋部材が開閉することのない包装用箱を提供することを目的とする。
【課題を解決するための手段】
【０００７】
本考案は、本体に対して開閉自在に連結部を介して蓋部材が取付けられ、かつ、前記本体と蓋部材との開口面を突き合わせることで前記本体の開口部が覆われるようにした包装用箱において、前記連結部と相対向する位置の前記本体に扁平マグネットを取付け、また、該マグネットと対向する位置の前記蓋部材に異極となる扁平マグネットを取付け、前記２つのマグネットによる求磁力によって本体と蓋部材とを閉止固定すること主要な特徴とする。
【０００８】
また、前記本体側のマグネットと蓋部材側のマグネットは共に方形マグネットであり、両マグネットは端面同士が対向して配置されていることが好ましい。
【０００９】
さらに、前記本体側と前記蓋部材側には、前記マグネットを取付けるための凹部が対向して形成されており、該凹部に前記マグネットを収容固定することで、マグネットの端面同士が対向配置されることが好ましい。
【００１０】
さらにまた、前記凹部に収容固定されるマグネットは、前記本体および蓋部材に接着固定される補強片に接着固定されていることが好ましい。
【考案の効果】
【００１１】
本考案に係る包装用箱は、上記のような構成を採用することにより、ばね蝶番を使用することなく、ばね蝶番と同様の閉止固定の効果が得られ、蓋部材に設けられた扁平磁石と本体に設けられた扁平磁石の側面同士による強い求磁力によって、箱が閉じる際に「パチン」という快い大きなクリック音を生じさせることが可能となり、輸送時に蓋部材が容易に開放することもない。
【考案を実施するための最良の形態】
【００１２】
以下、本考案を実施するための最良の形態について説明する。
ここで、図１は本考案に係る包装用箱の概略説明図、図２は本考案に係る包装用箱の本体に対して蓋部材を開いた状態を示す斜視図、図３は本考案に係る包装用箱の本体に蓋部材を閉止固定した状態を示す斜視図である。
【００１３】
図において、１は本考案に係る包装用箱を示し、この包装用箱１は本体２と、蓋部材３とからなる。
前記本体２は、側壁２１と、底部２２とからなり、眼鏡や装身具等を収納できるように構成されている。一方、蓋部材３は、側壁部３１と、頂部３２とから構成されている。
尚、本体２及び蓋部材３の材質には特に限定はなく、厚紙やプラスチック等の包装用箱として一般的に用いられる材料であれば良い。
【００１４】
また、本体２及び蓋部材３の表面には皮革、合成皮革、布、紙等の装飾シート（図示せず）が貼り付けられている。そして、この装飾シートにより、本体２と蓋部材３とが開口面の一辺２１ａ，３１ａにおいて連結されている。このため、ばね蝶番を用いることなく本体２と蓋部材３とを連結でき、この連結部を介して蓋部材３が本体２に対して開閉可能となる。
【００１５】
さらに、前記連結部と相対向する位置の本体２の側壁２１の上部には、凹部２１ｂが形成されている。この凹部２１ｂには、扁平マグネット５が収容固定されている。詳しく説明すれば、本体２に接着固定される補強片６にマグネット５を接着固定することにより、マグネット５を凹部２１ｂに収容固定することができる。
【００１６】
さらにまた、前記マグネット５と対向する位置の蓋部材３における側壁３１の上部であって、本体２に形成される凹部２１ｂと対向する位置には凹部３１ｂが形成されている。この凹部３１ｂには、前記マグネット５とは異極となる扁平マグネット７が収容固定されている。詳しく説明すれば、蓋部材３に接着固定される補強片６にマグネット７を接着固定することにより、マグネット７を凹部２１ｂに収容固定することができる。
【００１７】
このような構成から、本体２に設けられるマグネット５と蓋部材３に設けられるマグネット７は、扁平マグネットの端面同士が対向するように配置されるので強い求磁力が得られることになる。
そして、本体２と蓋部材３との開口面を突き合わせて本体２の開口部を蓋部材３で覆った場合、マグネット５，７の磁力によって本体２に蓋部材３をより強固に閉止固定することができる。
【００１８】
このため、ばね蝶番を用いることなく本体２に蓋部材３を閉止固定することができると共に、ばね蝶番と同程度の閉止固定の効果ならびに閉止時のクリック音が得られる。
【産業上の利用可能性】
【００１９】
本考案に係る包装用箱は、眼鏡、装身具等に用いられる旨を記載をしたが、これに何ら限定されることなく、他の包装用箱の用途にも適用できる。
【図面の簡単な説明】
【００２０】
【図１】本考案に係る包装用箱の概略説明図である。
【図２】本考案に係る包装用箱の蓋部材を開いた状態を示す斜視図である。
【図３】本考案に係る包装用箱の本体に蓋部材を閉止固定した状態を示す斜視図である。
【符号の説明】
【００２１】
１    包装用箱
２    本体
２１  側壁
２１ａ  開口面の一辺
２１ｂ  凹部
２２  底部
３    蓋部材
３１  側壁
３１ａ  開口面の一辺
３１ｂ  凹部
３２  頂部
４    連結部
５    マグネット
６    補助片
７    マグネット
【図１】
0003104294.tif 000003
【図２】
0003104294.tif 000004
【図３】
0003104294.tif 000005